(57)【要約】【課題】  脚部を中心とした運動能力の強化・改善を図るとともに、偏重心による身体機能の低下を防止に好適な履物を提供する。【解決手段】  シューズ１０の靴底１２は、足指の付根部分が厚く形成され、該付根部分に回転アダプタ２０を着脱可能に装着するための取付金具３０が設けられる。また、シューズ１０に内面は、線ＬＡに示すように踵側１６が低くなる傾斜と、線ＬＢに示すように親指側が小指側よりも低くなる傾斜を備える。更に、靴底１２には、前記付根部分から爪先側１４へ向けて傾斜面１８が形成されている。回転アダプタ２０を装着して立つと、回転運動やツイスト運動を行うことができる。回転アダプタ２０を装着しない場合には、踵側１６と爪先側１４での重心移動を行いながら内側重心を保って歩行するため、筋肉をバランスよく使用して、筋力の強化やストレッチ効果を得る。【選択図】図１
2005124688.tif 000002
【特許請求の範囲】
【請求項１】
足指の付根側が踵側よりも高い位置となるように履物内側に形成された第１の傾斜面，
前記足指の付根側から爪先側へ向けて履物底部に形成された第２の傾斜面，
前記付根部分において、親指側が小指側よりも低い位置となるように履物内側に形成された第３の傾斜面，
を備えたことを特徴とする履物。
【請求項２】
前記履物の底部に、少なくとも一つの機能部品を設けたことを特徴とする請求項１記載の履物。
【請求項３】
足指の付根側が踵側よりも高い位置となるように履物内側に形成された第１の傾斜面，
前記足指の付根側から爪先側へ向けて履物底部に形成された第２の傾斜面，
前記履物の底部に設けられた、少なくとも一つの機能部品，
を備えたことを特徴とする履物。
【請求項４】
前記機能部品が、回転可能な円板，スパイク，回転可能なボール，スプリング，回転可能なローラー，エッジ，滑走板のいずれかであることを特徴とする請求項２〜３のいずれかに記載の履物。
【請求項５】
履物の底部に少なくとも一つの機能部品を備えており、
該機能部品が、回転可能な円板，回転可能なボール，スプリング，エッジ，滑走板のいずれかであることを特徴とする履物。
【請求項６】
前記機能部品が、履物の底部に対して着脱可能であることを特徴とする請求項２〜５のいずれかに記載の履物。
【請求項７】
前記機能部品が、履物の左右で異なることを特徴とする請求項２〜６のいずれかに記載の履物。
【請求項８】
前記機能部品が、履物の底部に対して複数設けられており、これらの複数が異なる機能部品を含むことを特徴とする請求項２〜７のいずれかに記載の履物。
【請求項９】
前記履物に対する機能部品の着脱を、磁石を利用して行うことを特徴とする請求項２〜８のいずれかに記載の履物。
【発明の詳細な説明】
【技術分野】
【０００１】
本発明は、運動靴などの履物に関し、更に具体的には、運動能力や身体機能の強化ないし改善に好適な履物に関するものである。
【背景技術】
【０００２】
脚部の筋肉は、人体の中でも最も大きな筋肉の一つであるが、日常生活ではその半分程度しか使われていないといわれている。特に、大腿部の裏側の筋肉や臀部の筋肉は、デスクワークなどが多く運動する機会が少ない人にとっては鍛えにくく衰え易い部分であるため、これらの筋肉を強化したりストレッチしたりすることで身体機能の改善や運動能力の向上が期待できる。例えば、以下に示す特許文献１には、靴底の前方を後方側（踵側）より高くして、靴の内側底面を前方側から後方側に下向きに斜めにすることで、常に踵を地面に接した状態で靴の内側底面と同程度に傾いた坂道を上がるような運動効果を得ることを目的とした靴が開示されている。
【特許文献１】特開平９−１６４００２号公報
【発明の開示】
【発明が解決しようとする課題】
【０００３】
しかしながら、以上のような背景技術では、脚部の裏側の筋肉を鍛える効果を得ることはできるが、身体の他の部分（例えば腹部など）の筋肉の強化やストレッチを行うことはできない。また、正常な歩行を行うためには、通常は、踵，足指の付根，爪先へと順に重心を移動させることが必要とされるが、上述した背景技術では、常に爪先側が高く、踵側が低くなっているため、重心移動をスムーズに行うことができず、素早いフットワークが要求されるスポーツなどに利用するのは困難である。
【０００４】
本発明は、以上の点に着目したもので、その目的は、脚部を中心とした運動能力の強化・改善を図るとともに、重心の偏りによる身体機能の低下防止に好適な履物を提供することである。
【課題を解決するための手段】
【０００５】
前記目的を達成するため、本発明の履物は、足指の付根側が踵側よりも高い位置となるように履物内側に形成された第１の傾斜面，前記足指の付根側から爪先側へ向けて履物底部に形成された第２の傾斜面，前記付根部分において、親指側が小指側よりも低い位置となるように履物内側に形成された第３の傾斜面，を備えたことを特徴とする。更には、前記履物の底部に、少なくとも一つの機能部品を設けたことを特徴とする。他の発明は、足指の付根側が踵側よりも高い位置となるように履物内側に形成された第１の傾斜面，前記足指の付根側から爪先側へ向けて履物底部に形成された第２の傾斜面，前記履物の底部に設けられた、少なくとも一つの機能部品，を備えたことを特徴とする。更に他の発明は、履物の底部に少なくとも一つの機能部品を備えており、該機能部品が、回転可能な円板，回転可能なボール，スプリング，エッジ，滑走板のいずれかであることを特徴とする。本発明の前記及び他の目的，特徴，利点は、以下の詳細な説明及び添付図面から明瞭になろう。
【発明の効果】
【０００６】
本発明は、足指の付根側が踵側よりも高い位置となるように内側に形成された第１の傾斜面と、前記足指の付根側から爪先側へ向けて履物底部に形成された第２の傾斜面を備えた履物において、該履物内側に、親指側が小指側よりも低くなるような第３の傾斜面を設けるか、あるいは、前記履物底部に着脱可能な機能部品を設けることとした。このため、姿勢を適切に保ち、運動能力の強化や、重心の偏りによって生じる症状の防止や改善を図ることができる。また、機能部品を第２の傾斜面に設けたときは、踵側から爪先側への重心移動のみで機能部品の使用と中止の切り替えを行うことができるとともに、前記機能部品により、脚部のみなら身体の他の部分の筋肉の強化やストレッチなどを容易に行うことができる。
【発明を実施するための最良の形態】
【０００７】
以下、本発明を実施するための最良の形態を、実施例に基づいて詳細に説明する。
【実施例１】
【０００８】
最初に、図１〜図３を参照しながら、本発明の実施例１を説明する。図１(A)は、本実施例の構成を示す側面図，図１(B)は前記(A)を矢印Ｆ１方向から見た正面図である。図２及び図３は、本実施例の使用状態を示す図である。これらの図に示すように、本実施例のシューズ１０は、足裏の中心よりやや前寄りの位置，すなわち、足指の付根部分（図１(B)の母子球５２と小子球を結ぶライン）が厚く形成された靴底１２を有している。このため利用者５０の足裏が接するシューズ１０の内底は、図１(A)に示す状態では線ＬＡで示すように接地面４０に対して傾斜している。図示の例では、本発明の理解を容易にするため、接地面４０は水平面となっている。また、シューズ１０の内底は、小指側よりも親指側が低くなるように、すなわち図１(B)の線ＬＢで示すように、接地面４０に対して傾斜が設けられている。更に、靴底１２は、前記付根部分から爪先側１４へ向けて上方に反った傾斜面１８を有している。
【０００９】
前記シューズ１０の靴底材内部には、前後の複数箇所に機能部品を取り付けるための取付金具３０が埋め込まれて固定されている。取付金具３０は、図１(C)に示すように、四角形の平板３０Ａの中央に、機能部品を着脱するための受け軸３０Ｂを立設した構造となっており、この受け軸３０Ｂは靴底１２の窪み部１２Ａに露出している。また、受け軸３０Ｂの軸方向が、概ね靴底面に対して法線方向となるように、取付金具３０が固定されている。例えば図２(A)に示すように、足指の付根部分を接地させた状態のときに、前記受け軸３０Ｂが接地面４０に対して略垂直の方向となるように、取付金具３０が靴底１２に設けられている。
【００１０】
一方、機能部品の一つである回転アダプタ２０は、図１(D)に拡大して示すように、接地面４０に当接する円板２０Ａが、軸受け機構２０Ｂを介して取付軸２０Ｃに回転可能に接合された構成となっている。取付軸２０Ｃには、取付穴２０Ｄが設けられている。このような回転アダプタ２０は、取付穴２０Ｄに、靴底１２の取付金具３０の受け軸３０Ｂが入り込むことで、回転可能かつ着脱可能に靴底１２に取り付けられる。
【００１１】
次に、本実施例の作用を説明する。最初に、図２(A)及び図３を参照して回転アダプタ２０を利用する場合について説明する。まず、回転アダプタ２０の取付軸２０Ｃを、靴底１２の窪み部１２Ａを介して受け軸３０Ｂに装着し、図２(A)に示すように回転アダプタ２０の円板２０Ａの表面を接地面４０に接触させて立つ。このとき、片足で立つと、図３(A)に示すように、通常はμ（ミュー／摩擦抵抗）の低い氷上や、磨いた床等でないと困難な回転運動ないしスピン運動を行うことができる。また、両足で立つと、図３(B)に示すようにツイスト運動を行うことができる。スピン運動を行うことでバランス感覚を養うことができ、ツイスト運動を行うことにより、日常の動作であまり行わない「ひねり」の動作を容易に行うことができる。身体をひねる場合には、主に腹斜筋が使われるが、本実施例のシューズ１０を利用すれば、加齢や運動不足により長年使われなかった腹斜筋を効率よく刺激することができ、腰痛の予防と解消，ウエスト周りの筋肉強化，ウエスト周りの脂肪の減少，便秘の解消などの効果を期待することができる。なお、回転アダプタ２０を使用する場合には、爪先側１４へ重心を移動すればよく、使用しない場合には踵側１６へ重心を移動するか回転アダプタ２０を取り外すようにすればよい。
【００１２】
次に、回転アダプタ２０を利用しない場合について説明する。本実施例のシューズ１０から回転アダプタ２０を取り外して歩行ないし運動する場合、通常の着地状態が図１(A)に相当し、踏み切りへ動作が移る状態が図２(B)に相当する。まず、図１(A)に示す着地して起立した状態においては、踵側１６が低くなっているため、足裏の角度が前上がりになる。足裏の角度が前上がりになると、その状態のままでは後ろに倒れてしまうため、身体のバランスを保つため利用者５０の身体は、自然に前傾する。このように前傾した状態でのふくらはぎの筋肉は、軽く引き延ばされた（ストレッチされた）状態となる。歩行中、着地から踏み切りへ動作が移る際には、図１(B)に示すように足裏の重心が内側加重となるように矯正されるため、踏み切り力の強化を図ることができる。また、図１(B)に線ＬＢで示す傾斜のため、内側重心が保たれるようになり、Ｏ脚やＸ脚，これらが複合したＯＸ脚などの改善や防止を行うことができる。このように、ふくらはぎがある程度ストレッチされた状態で歩行すると、ふくらはぎの筋肉が動作できる範囲に制限を受けるため、代わりに腿の裏側の筋肉（大腿二頭筋）やお尻の筋肉（大殿筋）が作用し、これらの筋肉のストレッチ効果を得ることもできる。また、歩行せずに、足指の付根部分、すなわち、靴底１２の傾斜面１８の下側で立つことにより、母子球及び小子球を結ぶラインでの直立やフットワークの訓練を行うこともできる。
【００１３】
このように、実施例１によれば、シューズ１０の内面に、足指の付根部分が踵側１６よりも高い位置となる傾斜及び親指側が小指側よりも低くなる傾斜を設け、靴底１２の足指付根部分から爪先側１４に向けては傾斜面１８を設ける。そして、前記靴底１２の足指の付根部分に回転アダプタ２０を着脱可能に設けることとしたので、次のような効果がある。
(1)直立状態での重心を踵側から爪先側へ移動させることができるため、筋肉や運動神経に対して日常とは異なる刺激を与えることができ、筋力の強化や身体の柔軟性の向上し、運動能力や身体機能の強化・改善を図ることができる。また、踵重心で立つことができるため、外反母趾などの予防・改善を図ることができる。
(2)内側重心を保つことができるため、歩行中の重心移動の際の踏み切り力を強化するとともに、偏重心によるＸ脚やＯ脚などの発症の予防・改善を図ることができる。
(3)回転アダプタ２０を利用した回転運動ないしツイスト運動により、脚部以外の身体部分の運動ないしストレッチを行うことができる。
(4)踵側１６から爪先側１４への重心移動のみで回転アダプタ２０の使用とその中止を切り替えることができる。
(5)回転アダプタ２０の軸受け２０を、靴底１２の足指の付根部分に斜めに内蔵固定するため、必要以上に靴底１２が厚くならず、デザイン性を損なうことがない。
【００１４】
なお、本発明は、上述した実施例に限定されるものではなく、本発明の要旨を逸脱しない範囲内において種々変更を加え得ることができる。例えば、以下のものも含まれる。
(1)前記実施例の素材，材料は任意であり、必要に応じて適宜変更してよい。例えば、シューズ１０の本体を皮や合成皮革あるいは布地で形成し、靴底１２をゴムなどで形成するなどである。また、靴底１２に設けられる回転アダプタ２０や取付金具３０の材料も任意であり、利用者５０の体重を受けて破損することがないような強度を有するものであれば、どのような材料を用いてもよい。また、色彩や模様などについても、必要に応じて適宜変更可能である。
【００１５】
(2)前記実施例では、機能部品として回転アダプタ２０を取り付けることとしたが、他の機能部品、例えば、スパイク（爪），ボール，ローラー，スプリング，エッジなどを設けるようにしてもよい。図４には、その一例が示されている。図４(A)の例は、Ｕ字形状のバネ１００に取付軸１０２を設けたものである。図４(B)の例は、螺旋バネ１１０に取付軸１１２を設けたものである。螺旋バネ１１０の両端に止板１１４，１１６が設けられており、止板１１６に前記取付軸１１２が設けられている。図４(C)の例は、ボール（球体）１２０をジョイント１２２で回転可能に保持したもので、ジョイント１２２の頂部に取付軸１２４が設けられている。図４(D)の例は、グラススキー用のスキー板１３０に取付軸１３２，１３４を設けた例である。この例では、靴底１２側に二つの取付金具３０が必要である。スキー板１３０の代わりに、スケート用のエッジを取り付けるようにしてもよい。
【００１６】
(3)上述した機能部品は、シューズ１０の左右で異なるものを設けるようにしてもよいし、複数設けるようにしてもよい。更に、取付金具３０の構造や、これに回転アダプタ２０などの機能部品を取り付ける機構も一例であり、同様の効果を奏するように適宜変更してよい。例えば、凹凸が係合する構造とする，ボルト・ナットによる構造とする，磁石を利用するなどである。取付金具３０として磁石を用いると、該磁石による磁気が足に作用するようになり、これによる効果も期待できる。
【００１７】
(4)本発明の履物は、テニスや野球，バスケットボール，バレーボールなどの急激なダッシュやストップを要求されるスポーツや、走り幅跳び，走り高跳びなどの瞬発力が要求されるスポーツ、あるいは、踵重心の養成で力を発揮するゴルフや柔道，ウエイトリフティングなどのスポーツにおける運動能力の強化に好適であるが、スポーツ用に限定されるものではなく日常の履物としても利用可能である。また、ダンスやスケート用の靴として利用するようにしてもよい。
【産業上の利用可能性】
【００１８】
本発明によれば、足指の付根側が踵側よりも高い位置となるように履物内側に形成された第１の傾斜面と、前記足指の付根側から爪先側へ向けて履物底部に形成された第２の傾斜面を備えた履物において、該履物の内側に、親指側が小指側よりも低い位置となるような第３の傾斜面を設けるか、あるいは、前記履物底部の足指の付根部分に着脱可能な機能部品が設けられる。これにより、姿勢を適切に保つとともに、踵側から爪先側への重心移動のみで機能部品の使用と中止の切り替えを行うことができるため、各種スポーツなどに利用される履物として適用できる。特に、靴底に傾斜があるため、機能部品を埋め込んでも靴底が厚くならず外観が損なわれることがなく、デザインが重視される履物としても好適である。
【図面の簡単な説明】
【００１９】
【図１】本発明の実施例１の構成を示す図である。
【図２】前記実施例の使用状態を示す図である。
【図３】前記実施例の使用状態を示す図である。
【図４】本発明の他の実施例の主要部を示す図である。
【符号の説明】
【００２０】
１０：シューズ
１２：靴底
１２Ａ：窪み部
１４：爪先側
１６：踵側
１８：傾斜面
２０：回転アダプタ
２０Ａ：円板
２０Ｂ：軸受け機構
２０Ｃ：取付軸
２０Ｄ：取付穴
３０：取付金具
３０Ａ：平板
３０Ｂ：受け軸
４０：接地面
５０：利用者
５２：母子球
１００：バネ
１０２：取付軸
１１０：螺旋バネ
１１２：取付軸
１１４，１１６：止板
１２０：ボール
１２２：ジョイント
１２４：取付軸
１３０：スキー板
１３２，１３４：取付軸
【図１】
2005124688.tif 000003
【図２】
2005124688.tif 000004
【図３】
2005124688.tif 000005
【図４】
2005124688.tif 000006